(57)【要約】【課題】  通気・換気機能を何等損なうことなく構成の簡略化、スペースの有効利用、工期の短縮、コストの低減を図ることが可能な建築物を提供すること。【解決手段】  中空形状をなす複数本の柱材と、中空形状をなす複数本の梁材と、上記柱材と梁材或いは梁材同士或いは柱材同士を連結する中空形状のジョイント具と、を具備し、上記複数本の柱材の中空部と上記複数本の梁材の中空部と上記ジョイント具の中空部を連通させて通気路として使用するように構成したもの。【選択図】  図１
2010037744.tif 000002
【特許請求の範囲】
【請求項１】
中空形状をなす複数本の柱材と、中空形状をなす複数本の梁材と、上記柱材と梁材或いは梁材同士或いは柱材同士を連結する中空形状のジョイント具と、を具備し、上記複数本の柱材の中空部と上記複数本の梁材の中空部と上記ジョイント具の中空部を連通させて通気路として使用するように構成したことを特徴とする建築物。
【請求項２】
請求項１記載の建築物において、
上記複数本の柱材の中空部と上記複数本の梁材の中空部と上記ジョイント具の中空部を連通させて通気路としそこに冷気又は暖気を流通させて冷房又は暖房を行うように構成したことを特徴とする建築物。
【請求項３】
請求項１又は請求項２記載の建築物において、
上記複数本の梁材は複数本の天井梁材と複数本の床梁材であることを特徴とする建築物。
【請求項４】
請求項１〜請求項３の何れかに記載の建築物において、
上記梁材は二つ割り構造をなしていて、一対の梁材要素を対向・配置して接合した構成になっていることを特徴とする建築物。
【請求項５】
請求項１〜請求項４の何れかに記載の建築物において、
上記ジョイント具は、ジョイント具本体と、上記ジョイント具本体より張り出され上記柱材又は梁材内に挿入・配置される挿入部と、上記柱材又は梁材と挿入部を締結・固定する締結・固定具と、から構成されていることを特徴とする建築物。
【請求項６】
請求項１〜請求項４の何れかに記載の建築物において、
上記ジョイント具は、上記柱材又は梁材内に挿入・配置される挿入部と、上記柱材又は梁材と挿入部を締結・固定する締結・固定具と、から構成されていることを特徴とする建築物。
【発明の詳細な説明】
【技術分野】
【０００１】
本発明は、建築物に係り、特に、複数本の柱材と梁材を中空構造とすると共にそれら柱材や梁材を連結するためのジョイント具を中空構造とし、それら各中空部を連通させて通気路として使用することができるように構成し、例えば、その通気路内に冷気又は暖気を流通させて冷房又は暖房を行うことができるように工夫したものに関する。
【背景技術】
【０００２】
従来の建築物、例えば、住宅の構造を開示するものとして特許文献１等がある。
【特許文献１】特開平１１−３６４６９号公報
【０００３】
上記特許文献１に開示されている住宅は概略次のような構成をなしている。まず、複数の建物ユニットがあり、これら複数の建物ユニットは複数本の柱材と梁材等から構成されている。それら複数の建物ユニットを適宜の組み合わせにて接合することにより住宅の基本構造が構築される。
【０００４】
又、上記建物ユニットとは別に適宜のルートで通気・換気用ダクトが設置されていて、このような通気・換気用ダクトを使用して住宅内の通気・換気を行うように構成されている。
【発明の開示】
【発明が解決しようとする課題】
【０００５】
上記従来の構成によると次のような問題があった。
すなわち、従来の建築物の場合には、柱材や梁材から構成された住宅の基本構造とは別に、通気・換気用のダクトや配管が必要であり、それによって、構成が複雑化してしまうと共に使用可能なスペースが狭隘化してしまうという問題があった。
又、住宅の基本構造の構築とは別に通気・換気用のダクトや配管の敷設工事が必要になってしまうので、工期が長期化してしまうとともに多くの工数を必要としてしまうという問題があった。
【０００６】
本発明はこのような点に基づいてなされたものでその目的とするところは、通気・換気機能を何等損なうことなく構成の簡略化、スペースの有効利用、工期の短縮、コストの低減を図ることが可能な建築物を提供することにある。
【課題を解決するための手段】
【０００７】
上記目的を達成するべく本願発明の請求項１による建築物は、中空形状をなす複数本の柱材と、中空形状をなす複数本の梁材と、上記柱材と梁材或いは梁材同士或いは柱材同士を連結する中空形状のジョイント具と、を具備し、上記複数本の柱材の中空部と上記複数本の梁材の中空部と上記ジョイント具の中空部を連通させて通気路として使用するように構成したことを特徴とするものである。
又、請求項２による建築物は、請求項１記載の建築物において、上記複数本の柱材の中空部と上記複数本の梁材の中空部と上記ジョイント具の中空部を連通させて通気路としそこに冷気又は暖気を流通させて冷房又は暖房を行うように構成したことを特徴とするものである。
又、請求項３による建築物は、請求項１又は請求項２記載の建築物において、  上記複数本の梁材は複数本の天井梁材と複数本の床梁材であることを特徴とするものである。
又、請求項４による建築物は、請求項１〜請求項３の何れかに記載の建築物において、上記梁材は二つ割り構造をなしていて、一対の梁材要素を対向・配置して接合した構成になっていることを特徴とするものである。
又、請求項５による建築物は、請求項１〜請求項４の何れかに記載の建築物において、上記ジョイント具は、ジョイント具本体と、上記ジョイント具本体より張り出され上記柱材又は梁材内に挿入・配置される挿入部と、上記柱材又は梁材と挿入部を締結・固定する締結・固定具と、から構成されていることを特徴とするものである。
又、請求項６による建築物は、請求項１〜請求項４の何れかに記載の建築物において、上記ジョイント具は、上記柱材又は梁材内に挿入・配置される挿入部と、上記柱材又は梁材と挿入部を締結・固定する締結・固定具と、から構成されていることを特徴とするものである。
【発明の効果】
【０００８】
以上述べたように本願発明の請求項１による建築物は、中空形状をなす複数本の柱材と、中空形状をなす複数本の梁材と、上記柱材と梁材或いは梁材同士或いは柱材同士を連結する中空形状のジョイント具と、を具備し、上記複数本の柱材の中空部と上記複数本の梁材の中空部と上記ジョイント具の中空部を連通させて通気路として使用するように構成したので、従来のように、別途ダクトや配管を設けることなく所望の通気機能を発揮させることができる。よって、建築物としての構成を簡略化させてスペースの有効利用を図ることができる。又、別途通気用のダクトや配管を敷設する必要がないので、工期の短縮化と工数の軽減を図ることができる。
又、請求項２による建築物は、請求項１記載の建築物において、上記複数本の柱材の中空部と上記複数本の梁材の中空部と上記ジョイント具の中空部を連通させて通気路として使用し、そこに冷気又は暖気を流通させて冷房又は暖房を行うように構成したので、又、別途暖房用のダクトや配管を敷設する必要がないので、工期の短縮化と工数の軽減を図ることができる等、上記効果を確実に得ることができる。
又、請求項３による建築物は、請求項１又は請求項２記載の建築物において、  上記複数本の梁材は複数本の天井梁材と複数本の床梁材であるので、建築物全体を通気範囲としてカバーすることができる。
又、請求項４による建築物は、請求項１〜請求項３の何れかに記載の建築物において、上記梁材は二つ割り構造をなしていて、一対の梁材要素を対向・配置して接合した構成になっているので、各種ジョイント具を使用した連結作業も簡単である。又、複数本の天井梁材３と複数本の床梁材２１は基本的には同じ形状で、且つ、二つ割りの構造になっているので、その製作も容易である。
又、請求項５による建築物は、請求項１〜請求項４の何れかに記載の建築物において、上記ジョイント具は、ジョイント具本体と、上記ジョイント具本体より張り出され上記柱材又は梁材内に挿入・配置される挿入部と、上記柱材又は梁材と挿入部を締結・固定する締結・固定具と、から構成されているので、連結作業も容易である。
又、請求項６による建築物は、請求項１〜請求項４の何れかに記載の建築物において、上記ジョイント具は、上記柱材又は梁材内に挿入・配置される挿入部と、上記柱材又は梁材と挿入部を締結・固定する締結・固定具と、から構成されているので、連結作業も容易である。
【発明を実施するための最良の形態】
【０００９】
以下、図１乃至図１７を参照して本発明の第１の実施の形態を説明する。本実施の形態は本願発明を住宅に適用した例を示すものである。図１は住宅の骨組構造を示す平面図であり、複数本の柱材１と複数本の天井梁材３が露出されている。又、この実施の形態における住宅は、玄関５と、居間７と、台所９と、浴室１１と、トイレ１３と、２つの洋間１５、１７を備えた構造になっている。
【００１０】
又、図１をＩＩ−ＩＩ方向から視た矢視図を図２に示す。複数本の柱材１の下部には床梁材２１が設置されている。又、床梁材２１の下であって上記複数本の柱材１に対応する位置には基礎２３が夫々設置されている。又、上記複数本の天井梁材３の上には支持部材２５を介して屋根材２７が設置されている。
【００１１】
又、図２のＩＩＩ−ＩＩＩ断面を図３に示す。図３に示すように、床梁材２１の間には複数本の支持部材２７が設置されている。上記複数本の床梁材２１と複数本の支持部材２７の上に図示しない床材を設置することになる。
【００１２】
又、図２及び図４に示すように、柱材１と柱材１との間であって天井梁材３と床梁材２１とによって形成される任意の空間には、ブレース３１、３３が張設されている。これらブレース３１、３３はいわゆる「筋かい」としての機能を発揮する構造材であり、建築物に要求される強度に応じて適所に設置されるものである。
以上が本実施の形態による建築物の概略構成である。以下、各部の構成を詳細に説明する。
【００１３】
まず、図１におけるＶ部の構成を説明する。Ｖ部は柱材１と三方に延長された天井梁材３との連結部である。Ｖ部の拡大図を図５に示す。又、図６は図５のＶＩ−ＶＩ矢視図である。又、図７はＶ部の構成を示す分解斜視図である。まず、柱材１であるが、図５〜図７に示すように、中空形状をなしていて、その横断面形状は略正方形である。又、天井梁材３であるが、二分割構成になっていて、略Ｕ字形状をなす天井梁材要素４１、４１を接合・固定した構成になっている。
【００１４】
上記天井梁材要素４１の横断面形状は図６に示すようなものであり、略Ｕ字形状をなしていて、いわゆる「チャンネル部材」に似た形状をなしている。又、天井梁材要素４１の端部には段付係合部４３が形成されている。一対の天井梁材要素４１、４１は対向・配置されていて、且つ、夫々の段付係合部４３、４３を係合させた状態で接合・固定されている。
【００１５】
上記接合・固定であるが、図７に示すように、まず、ジョイント具４５があり、このジョイント具４５は、ジョイント具本体４７と、このジョイント具本体４７より三方に夫々張り出された天井梁材用差込部４９と、一方に張り出された柱材用差込部５１とから構成されている。上記天井梁材用差込部４９を対向・配置された一対の天井梁材要素４１、４１間に挿入し、その状態で、図５及び図６に示すように、片側４本ずつで合計８本の固定ボルト５３を螺合させる。すなわち、上記天井梁材用差込部４９側には所定箇所に雌ねじ部４９ａが形成されていると共に一対の天井梁材要素４１、４１には貫通孔４１ａが形成されている。よって、上記固定ボルト５３を上記貫通孔４１ａを介して上記雌ねじ部４９ａに螺合させるものである。それによって、一対の天井梁材要素４１、４１と１個の天井梁材用差込部４９が接合・固定されることになる。
同様の構造によって、残り二方向に張り出された天井梁材用差込部４９を対応する一対の天井梁材要素４１、４１間に挿入し、その状態で、片側４本ずつで合計８本の固定ボルト５３を螺合させる。それによって、一対の天井梁材要素４１、４１と１個の天井梁材用差込部４９が接合・固定されることになる。
又、図６に示すように、固定ボルト５３の先端は雌ねじ部４９ａの先端より殆ど突出することがないような長さに設定されている。それによって、ジョイント具４５の中空部内の空間をできるだけ広く確保して通気路として有効に利用できるようにしているものである。
【００１６】
又、一方に張り出された柱材用差込部５１を柱材１内に挿入し、その状態で、片側４本ずつで合計８本の固定ボルト５３を螺合させる。すなわち、上記柱材用差込部５１側には所定箇所に雌ねじ部５１ａが形成されていると共に柱材１には貫通孔１ａが形成されている。よって、上記固定ボルト５３を上記貫通孔１ａを介して上記雌ねじ部５１ａに螺合させるものである。それによって、柱材１と柱材用差込部５１とが接合・固定されることになる。
又、図５に示すように、固定ボルト５３の先端は雌ねじ部５１ａの先端より殆ど突出することがないような長さに設定されている。それによって、ジョイント具４５の中空部内の空間をできるだけ広く確保して通気路として有効に利用できるようにしているものである。
【００１７】
次に、図３におけるＶＩＩＩ部の構成を示す。ＶＩＩＩ部は柱材１と三方に延長された床梁材２１との連結部である。ＶＩＩＩ部の拡大図を図８に示す。図９は図８のＩＸ−ＩＸ矢視図、図１０は図８のＸ−Ｘ矢視図である。
まず、床梁材２１の構成から説明する。基本的には、既に説明した天井梁材３の構成と同じであり、二分割構成になっていて、床梁材要素６１、６１を接合・固定した構成になっている。上記床梁材要素６１の横端面形状は図９に示すようなものであり、略Ｕ字形状をなしていて、いわゆる「チャンネル部材」に似た形状をなしている。又、床梁材要素６１の端部には段付係合部６３が形成されている。一対の床梁材要素６１、６１を対向・配置させ、夫々の段付係合部６３、６３を係合させた状態で接合・固定されている。
【００１８】
上記接合・固定であるが、まず、ジョイント具６５があり、このジョイント具６５は、ジョイント具本体６７と、このジョイント具本体６７より三方に張り出された床梁材用差込部６９と、一方に張り出された柱材用差込部７１とから構成されている。上記床梁材用差込部６９を対向・配置された一対の床梁材要素６１、６１間に挿入し、その状態で、片側４本ずつで合計８本の固定ボルト７３を螺合させる。それによって、一対の床梁材要素６１、６１と１個の床梁材用差込部６９が接合・固定されることになる。すなわち、上記床梁材用差込部６９側には雌ねじ部６９ａが形成されていて、一方、床梁材要素６１側には貫通孔６１ａが形成されている。上記固定ボルト７３を貫通孔６１ａを介して雌ねじ部６９ａに螺合することにより、一対の床梁材要素６１、６１と１個の床梁材用差込部６９が接合・固定されることになる。
又、固定ボルト７３の先端は雌ねじ部６９ａの先端より殆ど突出することがないような長さに設定されている。それによって、ジョイント具６５の中空部内の空間をできるだけ広く確保して通気路として有効に利用できるようにしているものである。
同様の構造によって、残り二方に張り出された床梁材用差込部６９を対応する一対の床梁材要素６１、６１間に挿入し、その状態で、片側４本ずつで合計８本の固定ボルト７３を螺合させる。それによって、一対の床梁材要素６１、６１と１個の床梁材用差込部６９が接合・固定されることになる。
【００１９】
又、一方に張り出された柱材用差込部７１を柱材１内に挿入し、その状態で、片側４本ずつで合計８本の固定ボルト７３を螺合させる。それによって、柱材１と柱材用差込部７１とが接合・固定されることになる。すなわち、上記柱材用差込部７１側には雌ねじ部７１ａが形成されていて、一方、柱材１側には貫通孔１ａが形成されている。上記固定ボルト７３を貫通孔１ａを介して雌ねじ部７１ａに螺合することにより、柱材１と１個の柱材用差込部７１が接合・固定されることになる。
又、固定ボルト７３の先端は雌ねじ部７１ａの先端より殆ど突出することがないような長さに設定されている。それによって、ジョイント具６５の中空部内の空間をできるだけ広く確保して通気路として有効に利用できるようにしているものである。
【００２０】
次に、基礎２３の近傍の構成について説明する。図９及び図１０に示すように、基礎２３上には金属製プレート８１が設置されていて、この金属製プレート８１の上にはモルタル８３が設置されている。このモルタル８３の上にはさらに別の金属製プレート８５が設置されている。上記金属製プレート８５はアンカーボルト８７、ナット８９、９１、座金９３を介して基礎２３側に接合・固定されている。
【００２１】
又、既に説明した床梁材２１と金属製プレート８５との間には固定金具１０１が設置されている。この固定金具１０１はいわゆる「アングル材」のような形状をなしている。そして、この固定金具１０１はボルト１０３によって上記金属製プレート８５側に固定されている。又、床梁材２１に対しては、既に説明した固定ボルト７３によって固定されている。
【００２２】
次、図３におけるＸＩ部の構成を説明する。ＸＩ部は柱材１と二方向に張り出された床梁材２１、２１との連結部である。ＸＩ部の拡大図を図１１に示す。図１２は図１１のＸＩＩ−ＸＩＩ矢視図、図１３は図１１のＸＩＩＩ−ＸＩＩＩ矢視図である。
まず、ジョイント具１３１があり、このジョイント具１３１は、ジョイント具本体１３３と、このジョイント具本体１３３より二方に張り出された床梁材用差込部１３５と、一方に張り出された柱材用差込部１３７とから構成されている。上記床梁材用差込部１３５を対向・配置された一対の床梁材要素６１、６１間に挿入し、その状態で、片側４本ずつで合計８本の固定ボルト１３９を螺合させる。それによって、一対の床梁材要素６１、６１と１個の床梁材用差込部１３５が接合・固定されることになる。すなわち、上記床梁材用差込部１３５側には雌ねじ部１３５ａが形成されていて、一方、床梁材要素６１側には貫通孔６１ａが形成されている。上記固定ボルト１３９を貫通孔６１ａを介して雌ねじ部１３５ａに螺合することにより、一対の床梁材要素６１、６１と１個の床梁材用差込部１３５が接合・固定されることになる。
又、固定ボルト１３９の先端は雌ねじ部１３５ａの先端より殆ど突出することがないような長さに設定されている。それによって、ジョイント具１３３の中空部内の空間をできるだけ広く確保して通気路として有効に利用できるようにしているものである。
同様の構造によって、残り一方に張り出された床梁材用差込部１３５を対応する一対の床梁材要素６１、６１間に挿入し、その状態で、片側４本ずつで合計８本の固定ボルト１３９を螺合させる。それによって、一対の床梁材要素６１、６１と１個の床梁材用差込部１３５が接合・固定されることになる。
【００２３】
又、一方に張り出された柱材用差込部１３７を柱材１内に挿入し、その状態で、片側４本ずつで合計８本の固定ボルト１３９を螺合させる。それによって、柱材１と柱材用差込部１３７とが接合・固定されることになる。すなわち、上記柱材用差込部１３７側には雌ねじ部１３７ａが形成されていて、一方、柱材１側には貫通孔１ａが形成されている。上記固定ボルト１３９を貫通孔１ａを介して雌ねじ部１３７ａに螺合することにより、柱材１と１個の柱材用差込部７１が接合・固定されることになる。
又、固定ボルト１３９の先端は雌ねじ部１３７ａの先端より殆ど突出することがないような長さに設定されている。それによって、ジョイント具１３３の中空部内の空間をできるだけ広く確保して通気路として有効に利用できるようにしているものである。
【００２４】
次に、図１４〜図１７を参照して、既に説明したブレース３１、３３の連結構造について説明する。これは、図１５に示すように、骨組構造側に切欠部１５１を形成しておき、そこにブレース３１、３３の両端に取り付けられた連結金具１５３を係合させるものである。上記連結金具１５３は一端側に係合突部１５５を備えていて、この係合凸部１５５を介して上記切欠部１５１に内側から係合するものであり、それによって、抜けを防止するものである。具体的には、上記連結金具１５３を柱材１及び天井梁材３の内側に配置して内側から外側に向けて上記切欠部１５１に差し込むものである。又、ブレース３１、３３側には連結金具１５７が取り付けられていて、この連結金具１５７と上記連結金具１５３が連結ガイドピン１５９、１５９を介して連結されている。又、上記連結ガイドピン１５９の両端にはねじ部材１６１、１６１が螺合されていて、それによって、連結ガイドピン１５９の抜けが防止されるようになっている。
【００２５】
上記構成をなす建築物において、既に説明した骨組構造に対して、図示しない床材と壁材を設置していくことになる。又、全ての柱材１と天井梁材３と床梁材２１と各種ジョイント具は全て中空形状をなしている。本実施の形態の場合にはそれら中空部を通気路として使用しそこに暖気を流通させて暖房を行うように構成している。
【００２６】
この点に関してさらに詳しく説明すると、例えば、図示しないヒータによって床下の地面を温め、その暖気を床下に設置された図示しないファンと既に説明した全ての柱材１と天井梁材３と床梁材２１と各種ジョイント具の中空部を介して循環させるものである。
【００２７】
具体的には、図示しない暖房器具の吸排気口を上記骨組構造の任意の箇所に連結し、全ての柱材１と天井梁材３と床梁材２１は各種ジョイント具の中空部を通気路として使用し、そこに暖気を流通させる。それによって、所望の暖房を行うように構成しているものである。その様子を部分的ではあるが図７に示す。図７中矢印で示す方向に暖気が流れることになり、それによって、建物全体に暖気を行き渡らせて暖房を行うものである。
【００２８】
以上本実施の形態によると次のような効果を奏することができる。
まず、本実施の形態の場合には、複数本の柱材１、複数本の天井梁材３、複数本の床梁材２１、上記複数本の柱材１、複数本の天井梁材３、複数本の床梁材２１相互を連結するための各種ジョイント金具が全て中空形状をなしていて、そこに暖気を流通させて暖房を行うように構成しており、従来のように、別途ダクトや配管を設けることなく所望の暖房を行うことができる。よって、建築物としての構成を簡略化させてスペースの有効利用を図ることができる。
又、別途暖房用のダクトや配管を敷設する必要がないので、工期の短縮化と工数の軽減を図ることができる。
又、複数本の天井梁材３と複数本の床梁材２１は基本的には同じ形状で、且つ、二つ割りの構造になっているので、各種ジョイント具を使用した連結作業も簡単である。
又、複数本の天井梁材３と複数本の床梁材２１は基本的には同じ形状で、且つ、二つ割りの構造になっているので、その製作も容易である。
【００２９】
次に、図１８乃至図２０を参照して本発明の第２の実施の形態を説明する。この第２の実施の形態は、ブレース３１、３３の別の連結構造を示すものである。まず、ブレース３３は二本のブレース要素１４１、１４１を金具１４３を介して連結した構成をなしている。上記ブレース３１は上記金具１４３の中空部を通った状態で延長されている。
【００３０】
上記ブレース３１、３３の端部の連結構造は次のようになっている。まず、ブレース３１、３３の両端には連結金具１４５が取り付けられている。この連結金具１４５は二又形状をなしていて、挟持片１４５ａ、１４５ａを備えている。一方、骨組構造側には別の連結金具１４９が固定ボルト１５１によって取付・固定されている。この連結金具１４９も二又形状をなしていて、被挟持片１４９ａ、１４９ａを備えている。上記連結金具１４５によって上記連結金具１４９を外側から挟み込むように配置する。そして、固定ピン１４７を差し込んでボルト１５３によって固定する。それによって、固定ピン１４７の抜けは防止され、且つ、固定ピン１４７を介して、連結金具１４５と連結金具１４９が連結されることになる。
【００３１】
尚、本発明は前記第１及び第２の実施の形態に限定されるものではない。
まず、前記第１及び第２の実施の形態の場合には、住宅を例に挙げて説明しているが、それ以外の用途の各種建築物に適用できる。
又、前記第１及び第２の実施の形態の場合には、暖気を流通させて暖房を行う場合を例に挙げて説明したが、冷房でも良い。
但し、冷房の場合には結露が懸念されるため、程々に冷やされた空気の循環ということになる。
又、暖房の場合においても、どのような経路でどのような熱源の暖気を流通させるかについては任意に決定すればよい。
又、換気用のダクトとして使用することもできる。
その他、図示した各部の構成はあくまで一例である。
【産業上の利用可能性】
【００３２】
本発明は、建築物に係り、特に、柱と梁を中空構造として通気ダクトとして使用、それによって、別途通気ダクトを要することなく所望の通気機能を備えた構造を得ることができるように工夫したものに関し、例えば、各種住宅に好適である。
【図面の簡単な説明】
【００３３】
【図１】本発明の第1の実施の形態を示す図で、建築物としての住宅の骨組みを示す平面図である。
【図２】本発明の第1の実施の形態を示す図で、図１のＩＩ―ＩＩ矢視図である。
【図３】本発明の第1の実施の形態を示す図で、図２のＩＩＩ−ＩＩＩ断面図である。
【図４】本発明の第1の実施の形態を示す図で、図４（ａ）は図１のａ−ａ断面図、図４（ｂ）は図１のｂ−ｂ断面図、図４（ｃ）は図１のｃ−ｃ断面図、図４（ｄ）は図１のｄ−ｄ断面図である。
【図５】本発明の第1の実施の形態を示す図で、図１のＶ部を拡大して示す平面図である。
【図６】本発明の第1の実施の形態を示す図で、図５のＶＩ−ＶＩ矢視図である。
【図７】本発明の第１の実施の形態を示す図で、図１のＶ部の分解斜視図である。
【図８】本発明の第1の実施の形態を示す図で、図３のＶＩＩＩ部を拡大して示す平面図である。
【図９】本発明の第1の実施の形態を示す図で、図８のＩＸ−ＩＸ矢視図である。
【図１０】本発明の第1の実施の形態を示す図で、図８のＸ−Ｘ矢視図である。
【図１１】本発明の第1の実施の形態を示す図で、図３のＸＩ部を拡大して示す平面図である。
【図１２】本発明の第1の実施の形態を示す図で、図１１のＸＩＩ−ＸＩＩ矢視図である。
【図１３】本発明の第1の実施の形態を示す図で、図１１のＸＩＩＩ−ＸＩＩＩ矢視図である。
【図１４】本発明の第1の実施の形態を示す図で、図１においてブレースが取り付けられている部分を抽出して拡大して示す側面図である。
【図１５】本発明の第1の実施の形態を示す図で、図１４のＸＶ部を拡大して示す断面図である。
【図１６】本発明の第1の実施の形態を示す図で、図１５のＸＶＩ−ＸＶＩ矢視図である。
【図１７】本発明の第1の実施の形態を示す図で、図１５のＸＶＩＩ−ＸＶＩＩ矢視図である。
【図１８】本発明の第２の実施の形態を示す図で、ブレースの取付構造を示す側面図である。
【図１９】本発明の第２の実施の形態を示す図で、図１８のＸＩＸ部を拡大して示す断面図である。
【図２０】本発明の第２の実施の形態を示す図で、取付ピンの構成を示す図である。
【符号の説明】
【００３４】
１  柱材
３  天井梁材
２１  床梁材
２３  基礎
３１  ブレース
３３  ブレース
４１  天井梁材要素
４３  段付係合部
４５  ジョイント具
４７  ジョイント具本体
４９  天井梁材用挿入部
５１  柱材用挿入部
５３  固定ボルト
６５  ジョイント具
６７  ジョイント具本体
６９  床梁材用挿入部
７１  柱材用挿入部
７３  固定ボルト
【図１】
2010037744.tif 000003
【図２】
2010037744.tif 000004
【図３】
2010037744.tif 000005
【図４】
2010037744.tif 000006
【図５】
2010037744.tif 000007
【図６】
2010037744.tif 000008
【図７】
2010037744.tif 000009
【図８】
2010037744.tif 000010
【図９】
2010037744.tif 000011
【図１０】
2010037744.tif 000012
【図１１】
2010037744.tif 000013
【図１２】
2010037744.tif 000014
【図１３】
2010037744.tif 000015
【図１４】
2010037744.tif 000016
【図１５】
2010037744.tif 000017
【図１６】
2010037744.tif 000018
【図１７】
2010037744.tif 000019
【図１８】
2010037744.tif 000020
【図１９】
2010037744.tif 000021
【図２０】
2010037744.tif 000022